(57)【要約】【課題】  横断面略矩形の支柱を用いて架設材を９０度や１８０度以外の任意の角度で取付けできるフェンスを提供する。【解決手段】  本発明のフェンス１は、一方の架設材９は支柱側端部に一方の取付具５ａを固定してあり、他方の架設材１１は支柱側端部に他方の取付具５ｂを固定してあり、支柱３は横断面略矩形であり且つ各側面の左右方向略中央に取付溝１７を上下方向に有し、取付台座７は入隅部１９と外側面２１とを有し、入隅部１９は支柱３の一つの側面の取付溝１７よりもコーナ側の位置から隣の側面の取付溝１７を越える位置まで呑み込んでおり、外側面２１は入隅部１９よりも支柱の外周側に位置し且つ垂直軸周りの略円弧状を成しており、他方の取付具５ｂは取付台座７の外側面２１の円弧方向の任意の位置に取付自在である。【選択図】      図１
2006233578.tif 000002
【特許請求の範囲】
【請求項１】
支柱と、一方及び他方の取付具と、取付台座と、一方及び他方の架設材とを備え、一方の架設材は支柱側端部に一方の取付具を固定してあり、他方の架設材は支柱側端部に他方の取付具を固定してあり、支柱は横断面略正方形であり且つ各側面の左右方向略中央に取付溝を上下方向に有し、取付台座は入隅部と外側面とを有し、入隅部は支柱の一つの側面の取付溝よりもコーナ側の位置から隣の側面の取付溝を越える位置まで呑む大きさであり、外側面は垂直軸周りの略円弧状を成し、取付台座は支柱の上下方向の任意の位置で上下を反転して取付け自在であり、一方の取付具は取付溝の上下方向の任意の位置に取付け自在であり、他方の取付具は取付台座の外側面の円弧方向の任意の位置に取付自在であることを特徴とするフェンス。
【発明の詳細な説明】
【技術分野】
【０００１】
本発明は、道路、公園等に設置されるフェンスに関する。
【背景技術】
【０００２】
特許文献１には、横断面略正方形の支柱の側面に取付台座を固定して取付台座に固定した取付具に架設材を取付けることが開示されている。
特許文献２には、横断面円形の支柱の側面に支柱の側面に沿う円弧形状の取付台座を固定して、取付具により取付台座に架設材を取付けることが開示されている。
【０００３】
【特許文献１】特開２００１−３１７２３２号公報
【特許文献２】実開平４−１０５１１８号公報
【発明の開示】
【発明が解決しようとする課題】
【０００４】
しかし、特許文献１に開示のフェンスでは、架設材の取付けが、横断面略正方形の支柱の側面に限られるため、一方の架設材に対する他方の架設材の取付け角度は９０度又は１８０度に限られるという問題がある。
特許文献２に開示のフェンスは、横断面円形の支柱の側面に左右の架設材を取付けるものであるから、９０度と１８０度以外の角度に取付けできるが、円弧状を成す側面に架設材を取付けるので、架設材の端面を支柱の側面に沿う円弧状に加工したり、取付具は支柱を貫通するようにして支柱の側面に固定する必要があるため、施工し難いという問題がある。
【０００５】
そこで、本発明は、横断面略正方形の支柱を用いて架設材を９０度や１８０度以外の任意の角度で取付けできるフェンスの提供を目的とする。
【課題を解決するための手段】
【０００６】
請求項１に記載の発明は、支柱と、一方及び他方の取付具と、取付台座と、一方及び他方の架設材とを備え、一方の架設材は支柱側端部に一方の取付具を固定してあり、他方の架設材は支柱側端部に他方の取付具を固定してあり、支柱は横断面略正方形であり且つ各側面の左右方向略中央に取付溝を上下方向に有し、取付台座は入隅部と外側面とを有し、入隅部は支柱の一つの側面の取付溝よりもコーナ側の位置から隣の側面の取付溝を越える位置まで呑む大きさであり、外側面は垂直軸周りの略円弧状を成し、取付台座は支柱の上下方向の任意の位置で上下を反転して取付け自在であり、一方の取付具は取付溝の上下方向の任意の位置に取付け自在であり、他方の取付具は取付台座の外側面の円弧方向の任意の位置に取付自在であることを特徴とする。
【発明の効果】
【０００７】
請求項１に記載の発明によれば、取付台座は支柱の一側面の取付溝よりもコーナ側の位置から隣の側面の取付溝を越えて設けているので、取付台座に隣接する取付溝に一方の架設材の端部を、取付台座の外側面に他方の架設材の端部を固定することにより、図５（ａ）に示すように、一方及び他方の架設材を９０度以下の任意の角度で取付けできる。
また、取付台座は一側面ではコーナから取付溝の手前まであり隣の側面ではコーナから取付溝を越えた位置にあるので、一側面と隣の面では外側面の円弧方向長さが異なっている。したがって、取付台座の上下を反転して取付けることにより、コーナから一側面側を長くしたり隣の面側を長くしたりできる。例えば、一方及び他方の架設材を所定の角度範囲で取りける場合に、図５（ａ）の取付台座を上下反転させて取り付ければ、図５（ｂ）のように、一方及び他方の架設材の角度範囲を９０度以上１３５度以下の任意の範囲とすることができる。
更に、図５（ｃ）に示すように、１３５度以上１８０度以下の任意の角度でも一方及び他方の架設材を取付けできる。
したがって、横断面略正方形の支柱でありながら一方及び他方の架設材を９０度や１８０度以外の角度で取付けできる。
取付台座の取付け位置を変えたり、上下反転して用いることにより、一つの部材で広範囲の取付け角度を設定することができる。
他方の架設材の端部は、取付台座の円弧状外側面に取付けた他方の取付具に固定し、円弧状の外側面に直接固定しないので、架設材の端部を外側面に合わせて円弧状に加工する必要がなく、施工が容易である。
取付台座は入隅部を支柱の平坦な側面に固定するだけであるから、取付けが簡単である。
取付台座は、支柱の一側面と隣の面とにのみ配置しているので、小型にでき且つ取扱いや装着が容易である。
取付台座は、隣の面では取付溝を越える位置まで設けているので、一方及び他方の架設材が成す角度を９０度付近においても細かな範囲で設定可能である。
取付溝は支柱の上下方向に設けてあり、取付台座は支柱の上下方向の任意の位置に取付けできるので、一方及び他方の架設材を支柱の上下方向の任意の位置に取付けでき、施工の自由度が高い。
【発明を実施するための最良の形態】
【０００８】
以下に、添付図面を参照して本発明の実施の形態を説明する。図１は本発明の実施の形態にかかるフェンスの横断面図であり、図２は本発明の実施の形態にかかるフェンスを図１に示すＡ―Ａ位置で切断した縦断面図であり、図３は本発明の実施の形態にかかるフェンスの平面図であり、図４は本発明の実施の形態にかかるフェンスを図１に示すＢ―Ｂ位置で切断した縦断面図であり、図５は一方及び他方の架設材の取付け角度の例を示す図であり、図５の（ａ）〜（ｃ）は各取付け角度におけるフェンスの断面図である。
本発明の実施の形態にかかるフェンス１は、コーナ部に設けた支柱３と、一方及び他方の取付具５ａ、５ｂと、取付台座７と、支柱３に一端を取付ける一方及び他方の架設材９、１１とを備えている。尚、一方又は他方の架設材９、１１の他端は断面略正方形を成す他の支柱１３に取付けられている。
支柱３は横断面略正方形を成しており、各４つの側面の各々に一方の取付具５ａの取付溝１７が設けてあり、取付溝１７は各支柱側面の左右方向略中央に位置し且つ上下方向に設けてある。
取付台座７は、支柱３の２つの側面３ａ、３ｂに配置されており、入隅部１９と、外側面２１と、上面カバー２３と、下面カバー２５とを有している。入隅部１９は支柱３の一つの側面３ａに設けてある取付溝１７よりもコーナ側の位置から隣の側面３ｂに設けてある取付溝１７を越える位置までコーナ２７を呑み込んで配置されている。取付台座７の左右側において一つの側面３ａ側に設けてある取付溝側の端７ａは、一方の取付具５ａの側面と隣接して配置されている。入隅部１９は支柱３のコーナ２７の一側面３ａ側に壁面がなく、他側面３ｂ側のみに取付壁面１９ａが設けてある。
外側面２１は入隅部１９よりも支柱３の外周側に設けてあり且つ垂直軸周りに略四半分の円弧状を成している。
取付台座７は上下を反転させて取付け自在である。
各取付具５ａ、５ｂは取付溝１７と外側面２１とにそれぞれ固定自在であり、本実施の形態では、一方の取付具５ａは取付溝１７に固定してあり、他方の取付具５ｂは取付台座７の外側面２１に取付けてある。
各取付具５ａ、５ｂは、図４に示すように、支柱側固定部３１と、水平軸回りに回動自在な回動部３３と架設材固定部３５とを有しており、架設材固定部３５は支柱側固定部３１に対して上下方向に回動自在になっている。一方の取付具５ａは取付溝１７の上下方向の任意の位置に取付け自在であり、支柱側固定部３１は取付溝１７にねじ固定したスペーサ３７にねじ２９で固定してある。また、他方の取付具５ｂは外側面２１の円弧方向の任意の位置に取付自在であり、支柱側固定部３１は、外側面２１との間に補助材３９を介在してある。補助材３９は取付台座側の面が外側面２１に沿った円弧状面になっており、周方向の任意の位置に設置可能である。架設材固定部３５には架設材９又は１１の端部がねじ４１で固定されている。
一方の架設材９は支柱側端を取付溝１７に取付けた一方の取付具５ａに固定してあり、他端を他の支柱１３の取付溝に取付けた取付具１５に固定してある。
他方の架設材１１は支柱側端を取付台座７の外側面２１に取付けた他方の取付具５ｂの架設材固定部３５にねじ固定してあり、他端を他の支柱１３の取付溝に取付けた取付具１５の架設材側固定部３５にねじ固定してある。
本実施の形態では、各支柱３、１３に取付ける取付具５ａ、５ｂ、１５は全て同種のものを用いてある。尚、支柱間３、１３において、各架設材７、９の上方に設けてあるのは、笠木４３である。
【０００９】
次に、本実施の形態にかかるフェンス１の施工、作用及び効果について説明する。
フェンス１の施工において、一方及び他方の架設材９、１１が９０度及び１８０度以外の角度を成す箇所では、断面略正方形のコーナ用の支柱３を用いて、支柱３の一側面３ａに設けてある取付溝１７にスペーサ３７を介して取付具５をねじ２９で固定する。次に、支柱３の一側面３ａと一側面３ａの隣の他側面３ｂとに配置して取付台座７をねじ４２で取付け、取付台座７の外側面２１に補助材３９を介して取付具５を固定する。そして、取付溝１７に固定した取付具５の架設材固定部３５に一方の架設材９の一端をねじ固定し、取付台座７の外側面２１に固定した一方の取付具５ａの架設材固定部３５に他方の架設材１１の一端を固定する。尚、一方及び他方の架設材９、１１の各他端はそれぞれ支柱１３に取付けた取付具１５に固定する。
【００１０】
本実施の形態によれば、一方の架設材９を横断面略正方形である支柱３の一側面３ａに固定し、他方の架設材１１を取付台座７の外側面２１に取付けることにより、一方の架設材９と他方の架設材１１とは、９０度以下の任意の角度で取付けできる。
取付具５は取付台座７の外側面２１に取付自在としてあり、他方の架設材１１の端部を取付具５に固定するから、他方の架設材１１の端部を外側面に合わせて円弧状に加工する必要がなく、施工が容易である。
支柱３は、他の支柱１３と同様に横断面正方形であるから、フェンス１に用いる全ての支柱に横断面略正方形のものを用いることができ、統一性があって外観が良い。
取付台座７は入隅部１９を支柱３の平坦な側面に固定するので、取付けが簡単である。
一方及び他方の取付具５ａ、５ｂは、一方及び他方の架設材９、１１について同種のものを用いることができるので、施工しやすい。
取付溝１７は支柱３の上下方向に設けてあり、取付台座７は支柱３の上下方向の任意の位置に取付けできるので、一方及び他方の架設材９、１１を支柱３の上下方向の任意の位置に取付けでき、施工の自由度が高い。
取付台座７は、支柱３の一側面３ａと隣の面３ｂとにのみ配置してあるので、小型にでき且つ取扱いや装着が容易である。
取付台座７は、隣の面３ａでは取付溝１７を越える位置まで設けているので、一方及び他方の架設材９、１１が成す角度を９０度付近においても細かな範囲で設定可能である。
【００１１】
また、一方及び他方の架設材９、１１の取付け角度は、図５に示すように、施工現場で容易に対応できる。図５（ａ）に示す取り付けでは９０度以下の角度範囲において取付けでき、図５（ｂ）に示す取付けでは、１３５度以上１８０度以下の角度範囲において取付けできるから、これらの取付例を合わせれば、全ての任意の角度で一方の架設材９と他方の架設材１１を取付けでき、図５（ｃ）に示す取付けでは、一方の架設材９と他方の架設材１１とは、１３５度以上１８０度以下の角度範囲において任意の角度を形成する位置で取付けることができる。
尚、図５（ｂ）に示す取付台座７は、図５（ａ）に示す取付台座７を上下反転させて取付けたものである。即ち、図５（ａ）では取付台座７は上面カバー２３を上にして取付けてあり、図５（ｂ）では取付台座は上面カバー２３を下にして取付けてあり下面カバー２５が上にある。
取付台座７は一側面３ａではコーナから取付溝１７の手前まであり隣の側面ではコーナから取付溝を越えた位置にあるので、一側面３ａと隣の面３ｂでは外側面の円弧方向長さが異なっている。したがって、取付台座７の上下を反転して取付けることにより、コーナから一側面３ａ側を長くしたり隣の面３ｂ側を長くして、一方の架設材９に対する他方の架設材１１の取付可能な角度範囲を変えることができる。即ち、取付台座７を上下反転して取付けることにより、一つの取付台座７で異なる角度範囲を設定することができる。
本実施の形態によれば、取付台座７の取付け位置を変えたり、上下反転して用いることにより、一つの部材で１８０度以下の広範囲で且つ任意の角度に取付け角度を設定することができる。
【００１２】
本発明は、上述した実施の形態に限らず、本発明の要旨を逸脱しない範囲で種々変形可能である。
各取付具５ａ、５ｂは、スペーサ３７を介在しないで直接取付溝１７に取付けるものであってもよいし、取付台座７の外側面２１に補助材３９を介在させないで直接取付けるものであってもよい。
支柱３には２つの架設材９、１１を取付けることに限らず、残りの側面の取付溝１７にも取付具５ａを固定して支柱３の三方や四方に架設材を設けるものであってもよい。
【図面の簡単な説明】
【００１３】
【図１】本発明の実施の形態にかかるフェンスの横断面図である。
【図２】本発明の実施の形態にかかるフェンスを図１に示すＡ―Ａ位置で切断した縦断面図である。
【図３】本発明の実施の形態にかかるフェンスの平面図である。
【図４】本発明の実施の形態にかかるフェンスを図１に示すＢ―Ｂ位置で切断した縦断面図である。
【図５】一方及び他方の架設材の取付け角度の例を示す図であり、（ａ）〜（ｃ）は各取付け角度におけるフェンスの断面図である。
【符号の説明】
【００１４】
１      フェンス
３      支柱
３ａ    一側面
３ｂ    隣の側面
５ａ    一方の取付具
５ｂ    他方の取付具
７      取付台座
９      一方の架設材
１１    他方の架設材
１７    取付溝
１９    入隅部
２１    外側面
２３    上面カバー
２５    下面カバー
２７    コーナ
【図１】
2006233578.tif 000003
【図２】
2006233578.tif 000004
【図３】
2006233578.tif 000005
【図４】
2006233578.tif 000006
【図５】
2006233578.tif 000007